(57)【要約】【課題】  容器本体に対する蓋体の開放操作をスムース（容易）に行うことができ、容器本体と蓋体との間の高度な気密性を確保できる収納容器を提供する。【解決手段】  収納凹部４を有する容器本体２と、容器本体の開口部を開閉可能な蓋体３と、を備えている。容器本体２は、４箇所の角部を有する略四角形をなす底面部６と、その底面部の周囲に連続して形成された側面部７と、その側面部の上端に連続して形成された環状をなすフランジ部８と、を有している。蓋体３は、容器本体２の収納凹部４の上面を覆うことができる上面部１７と、その上面部の周囲に連続し且つフランジ部の内側に嵌合可能な側面部１８と、を有している。容器本体２の４箇所の角部に、蓋体３の側面部１８の係合により側面部をフランジ部８側に弾性変形させてフランジ部８の内面に圧接させるガイド突起２１を設けた。【選択図】図５
2015171906.tif 000002
【特許請求の範囲】
【請求項１】
物品を収納するための上面が開口された収納凹部を有する容器本体と、
前記容器本体の上面の開口部を開閉可能な蓋体と、を備え、
前記容器本体は、３箇所以上１８箇所以下の角部を有する平面形状が多角形をなす底面部と、前記底面部の周囲に連続すると共に当該底面部を囲うように形成され且つ３箇所以上１８箇所以下の角部を有する側面部と、前記側面部の上端に連続して形成され且つ環状をなす３箇所以上１８箇所以下の角部を有するフランジ部と、を有し、
前記蓋体は、前記容器本体の前記収納凹部の上面を覆うことができ且つ３箇所以上１８箇所以下の角部を有する上面部と、前記上面部の周囲に連続すると共に下方に突出して前記フランジ部に対向され且つ３箇所以上１８箇所以下の角部を有する側面部と、を有し、
前記容器本体の前記３箇所以上１８箇所以下の角部に、前記蓋体の前記側面部の側面片が係合されることにより当該側面片を前記フランジ部側に弾性変形させて前記フランジ部の内面に接触又は圧接させるガイド突起を設けた
ことを特徴とする収納容器。
【請求項２】
前記容器本体及び前記蓋体の前記角部及び前記ガイド突起の数は、それぞれ４である
ことを特徴とする請求項１記載の収納容器。
【請求項３】
前記フランジ部の内面又は前記蓋体の前記側面部の外面の少なくとも一方に、前記３箇所以上１８箇所以下の角部を有し且つ周方向に無端状に連続する環状突起を設け、
前記環状突起を前記ガイド突起により前記側面部の外面又は前記フランジ部の内面に接触又は圧接させるようにした
ことを特徴とする請求項１又は２記載の収納容器。
【請求項４】
前記ガイド突起に、前記蓋体の前記側面片を前記フランジ部側に案内するガイド面を設け、前記ガイド面の傾斜角度を１０°から３０°の範囲内に設定した
ことを特徴とする請求項１乃至３のいずれか１記載の収納容器。
【請求項５】
前記ガイド突起は、前記環状突起を前記側面片又は前記フランジ部に圧接させる量を０．０１ｍｍから０．３ｍｍの範囲内に設定した
ことを特徴とする請求項１乃至４のいずれか１記載の収納容器。
【請求項６】
前記環状突起は、前記フランジ部の表面又は前記側面部の表面からの突出量を０．０５ｍｍから２．０ｍｍの範囲内に設定したことを特徴とする請求項３乃至５のいずれか１記載の収納容器。
【請求項７】
前記側面片が前記ガイド突起に当接する直前の当該側面片と前記環状突起との間に０．１ｍｍから０．５ｍｍの範囲内の隙間を設けた
ことを特徴とする請求項３乃至６のいずれか１記載の収納容器。
【発明の詳細な説明】
【技術分野】
【０００１】
本発明は、清掃シート、ウエットティシュ、ペーパータオル等を収納するための密閉可能な収納容器に関し、特に、容器本体と蓋体との間の気密性に優れ且つ開放操作を容易に行うことができる収納容器に関する。
【背景技術】
【０００２】
一般に、トイレの水槽や便器の清掃、洗面台やガスコンロの清掃等には、洗浄剤が含浸された清掃シートが用いられている。この清掃シートは、含浸された洗浄剤の蒸発を防ぐために、気密性に優れた収納容器に収納されて保存されている。
この種の、従来の収納容器としては、例えば、特許文献１に記載されているようなものがある。
【先行技術文献】
【特許文献】
【０００３】
【特許文献１】特開２００４−３２９３８２号公報
【発明の概要】
【発明が解決しようとする課題】
【０００４】
特許文献１には、トイレ等における手が届かないような狭い部分の清掃に適した清掃具に関するものが記載されている。この清掃具は、洗浄剤が含浸された清掃シートと、その清掃シートを収納する密閉可能な収納容器と、その清掃シートを装着可能な扁平状の先端部を有し且つ収納容器に着脱可能に固定される清掃道具とからなることを特徴としている。
【０００５】
この特許文献１に記載された清掃具に用いられている収納容器は、清掃シートが収納される容器本体と、この容器本体の上面の開口部を開閉可能な蓋体とを備えており、蓋体は図示しないヒンジによって容器本体に回動可能に連結されている。容器本体の開口部には周方向に連続したフランジ状をなす開口周縁部が設けられ、また、蓋体には下方に突出すると共に周方向に連続した下方周縁部が設けられている。この蓋体の下方周縁部を容器本体の開口周縁部に嵌め合わせることにより、収納容器の気密性を高め、清掃シートからの洗浄剤の蒸発を抑制する構成となっている。
【０００６】
しかしながら、特許文献１に記載された収納容器においては、ある程度高度な気密性を確保できるが、高度な気密性を確保するために容器本体に対する蓋体の嵌合力が大きなものとなっていた。そのため、収納容器から清掃シートを取り出す際に、蓋体を開放するために大きな力が必要となり、蓋体の開放操作をスムースに行うことができないという問題があった。
【０００７】
本発明は、このような従来の問題点に鑑みてなされたものであり、高度な気密性を確保しつつ、蓋体の開放操作をスムースに行うことができる収容容器を提供することを目的としている。
【課題を解決するための手段】
【０００８】
本発明の収納容器は、物品を収納するための上面が開口された収納凹部を有する容器本体と、その容器本体の上面の開口部を開閉可能な蓋体と、を備えている。容器本体は、３箇所以上１８箇所以下の角部を有する平面形状が多角形をなす底面部と、その底面部の周囲に連続すると共にその底面部を囲うように形成され且つ３箇所以上１８箇所以下の角部を有する側面部と、その側面部の上端に連続して形成され且つ環状をなす３箇所以上１８箇所以下の角部を有するフランジ部と、を有している。蓋体は、容器本体の収納凹部の上面を覆うことができ且つ３箇所以上１８箇所以下の角部を有する上面部と、その上面部の周囲に連続すると共に下方に突出してフランジ部に対向され且つ３箇所以上１８箇所以下の角部を有する側面部と、を有している。その容器本体の３箇所以上１８箇所以下の角部に、蓋体の側面部の側面片が係合されることにより側面片をフランジ部側に弾性変形させてフランジ部の内面に接触又は圧接させるガイド突起を設けたことを特徴としている。
【０００９】
容器本体及び蓋体の角部及びガイド突起の数は、それぞれ４に設定するとよい。
【００１０】
フランジ部の内面又は蓋体の側面部の外面の少なくとも一方に、３箇所以上１８箇所以下の角部を有し且つ周方向に無端状に連続する環状突起を設け、その環状突起をガイド突起により側面部の外面又はフランジ部の内面に接触又は圧接させる構成とすることが好ましい。
【００１１】
ガイド突起に、蓋体の側面片をフランジ部側に案内するガイド面を設け、そのガイド面の傾斜角度を１０°から３０°の範囲内に設定することが好ましい。
【００１２】
ガイド突起は、環状突起を側面片又はフランジ部に圧接させる量を０．０１ｍｍから０．３ｍｍの範囲内に設定することが好ましい。
【００１３】
環状突起は、フランジ部の表面又は側面部の表面からの突出量を０．０５ｍｍから２．０ｍｍの範囲内に設定することが好ましい。
【００１４】
側面片がガイド突起に当接する直前の側面片と環状突起との間に０．１ｍｍから０．５ｍｍの範囲内の隙間を設定することが好ましい。
【発明の効果】
【００１５】
本発明によれば、容器本体に対する蓋体の開放操作をスムース（容易）に行うことができると共に、容器本体と蓋体との間の高度な気密性を確保することが可能な収納容器を提供することができる。
【図面の簡単な説明】
【００１６】
【図１】本発明の収納容器の第１の実施例を示すもので、蓋体を容器本体から分離した状態を斜め上方から見た斜視図である。
【図２】本発明の収納容器の第１の実施例を示すもので、容器本体の収納凹部を蓋体で閉じた状態を斜め上方から見た斜視図である。
【図３】図１に示す蓋体の底面図である。
【図４】図１に示す容器本体の平面図である。
【図５】図２に示す収納容器の正面側半分を断面した説明図である。
【図６】図５に示すＸ部を拡大して示すもので、図６Ａは蓋体の側面部を容器本体のフランジ部に嵌合させる前の状態を表した説明図、図６Ｂは蓋体の側面部に環状突起を設けた実施例を示す説明図である。
【図７】図５に示すＸ部を拡大して示すもので、図７Ａは蓋体の側面部を容器本体のフランジ部に嵌合させた後の状態を表した説明図、図７Ｂは蓋体の側面部と容器本体のフランジ部との隙間を説明するための説明図である。
【図８】図５に示すＸ部を拡大して示すもので、蓋体の側面部を容器本体のフランジ部に嵌合させた時にフランジ部の内面に設けた環状突起が蓋体の側面部に圧接されている状態を示す説明図である。
【図９】図５に示す収納容器のＹ−Ｙ線部分を断面して示す説明図である。
【図１０】本発明の基礎となった先行技術に係る収納容器（非公知）の正面側半分を断面した説明図である。
【図１１】図１０に示す収納容器のＺ−Ｚ線部分を断面して示す説明図である。
【図１２】本発明の第１の実施例に係る収納容器と図１０に示した先行技術に係る収納容器の気密性を説明するもので、図１２Ａは気密性を表した棒グラフ、図１２Ｂは気密性を数値で表した図表である。
【図１３】本発明の収納容器の第２の実施例を示す蓋体の底面図である。
【図１４】本発明の収納容器の第２の実施例を示す容器本体の平面図である。
【発明を実施するための形態】
【００１７】
本発明者は、本発明を成すに先立って、上述した問題点に鑑みて、従来の収納容器の一部を改良した図１０に示すような収納容器１００（非公知）を開発した。この収納容器１００は、清掃シートが収納される容器本体１０１と、この容器本体１０１の上面の開口部を開閉可能な蓋体１０２とを備えて構成されている。そして、蓋体１０２は図示しないヒンジによって容器本体１０１に回動可能に連結されている。
【００１８】
容器本体１０１は、平面形状が略長方形をなす底面部１０４と、この底面部１０４の四辺に連続して周囲を囲むように形成された側面部１０５とを備えており、これら底面部１０４及び側面部１０５によって上方に開口された収納凹部１０６が形成されている。この容器本体１０１の側面部１０５の上端には、周方向に連続して環状に形成されたフランジ部１０７が設けられている。このフランジ部１０７は、同心状に配置された外フランジ片１１３と内フランジ片１１４を有している。そして、内フランジ片１１４の内周面に、収納凹部１０６側に突出すると共に環状をなすよう周方向に連続する環状突起１０８が設けられている。
【００１９】
この容器本体１０１に対して着脱可能に装着される蓋体１０２は、収納凹部１０６の上面を覆うことができる上面部１１０と、この上面部１１０の四辺に連続して周囲を囲むよう下方に突出して形成された側面部１１１とを備えており、この側面部１１１が容器本体１０１のフランジ部１０７に対向されている。側面部１１１は、同心状に配置された外側面片１１５と内側面片１１６とを有している。
【００２０】
蓋体１０２の外側面片１１５は、フランジ部１０７の外面と同一平面をなすように形成されており、この外側面片１１５がフランジ部１０７の外フランジ片１１３の上方に対向されるようになっている。一方、内側面片１１６は、フランジ部１０７の内フランジ片１１４の内側に対向されるように下方に大きく突出されており、これにより内フランジ片１１４の内面に設けた環状突起１０８が内側面片１１６の外面に当接するように形成されている。この内側面片１１６による環状突起１０８への圧接力により、収納容器１００の内部の気密性を確保できるように構成されている。
【００２１】
ところが、容器本体１０１及び蓋体１０２の形状が、平面から見て略長方形をなしており、その長辺部及び短辺部が適度な大きさの曲率半径を有する曲面となっている。更に、容器本体１０１及び蓋体１０２の４箇所の角部、即ち、それらの長辺と短辺が交差する部分には適当な大きさの曲面が設定されている。そして、図１１に示すように、フランジ部１０７である外フランジ片１１３及び内フランジ片１１４の４箇所の角部には曲面部１１３ｃ，１１４ｃが設定されている。これらの曲面部１１３ｃ，１１４ｃの曲率半径ＲＡ，ＲＤは、長辺部１１３ａ，１１４ａの曲率半径ＲＢ，ＲＥ及び短辺部１１３ｂ，１１４ｂの曲率半径ＲＣ，ＲＦと比較して大幅に小さいものであった。しかも、容器本体１０１のフランジ部１０７には環状突起１０８が設けられているため、容器本体１０１において、フランジ部１０７の樹脂量が側面部１０５の他の部分と比べて局所的に多量に必要とされる構造となっていた。
【００２２】
これにより、図１１に示すように、容器本体１０１のフランジ部１０７の外フランジ片１１３及び内フランジ片１１４において、曲面部１１３ｃ，１１４ｃの曲率半径ＲＡ，ＲＤと長辺部１１３ａ，１１４ａの曲率半径ＲＢ、ＲＥ及び短辺部１１３ｂ，１１４ｂの曲率半径ＲＣ、ＲＦとが大きく異なるために、これらが１つの曲率半径によって連続した１つの曲面となっておらず、２箇所に変曲点ＳＴを有する形状となっていた。この点、金型の設計段階では、変曲点ＳＴができないように、更に中間の曲率半径による曲面部を設けて長辺部１１３ａ，１１４ａと短辺部１１３ｂ，１１４ｂをスムースにつなげるように構成していた。
【００２３】
その結果、蓋体１０２を容器本体１０１に嵌合させたときに、フランジ部１０７の内フランジ片１１４の内面と蓋体１０２の内側面片１１６の外面との間に三日月形の隙間１１７，１１８，１１９が形成されるようになっていた。そのため、容器本体１０１に対する蓋体１０２の開放操作はスムースに行うことができるが、容器本体１０１と蓋体１０２との間の高度な気密性を確保することが不十分であった。
【００２４】
本願発明は、このような先行技術（非公知）の不十分な点を解決するためになされたもので、容器本体に対する蓋体の開放操作をスムース（容易）に行うことができると共に、容器本体と蓋体との間の高度な気密性を確保することが可能な収納容器を提供することができる。
【００２５】
以下に、図１乃至図９及び図１２乃至図１４を参照して、本発明の収納容器の例を説明する。まず、収納容器の第１の実施例について、図１乃至図９を参照して説明する。
図１〜図４に示すように、本発明の第１の実施例に係る収納容器１は、物品を収納することができる上面が開口された収納凹部４を有する容器本体２と、その容器本体２の上部に対して着脱可能であって、容器本体２の開口部を開閉可能な蓋体３と、を備えている。この収納容器１の収納凹部４に収納される物品としては、例えば、洗浄剤が含浸された清掃シート、ティッシュペーパー、ペーパータオル等を挙げることができる。
【００２６】
図１等に示すように、容器本体２は、４箇所の角部を有する平面形状が略四角形をなす底面部６と、その底面部６の四辺に連続すると共に、その底面部６を囲うように形成され且つ４箇所の角部を有する周方向に連続された側面部７と、その側面部７の上端に連続して形成され且つ４箇所の角部を有する周方向に連続された環状をなすフランジ部８と、そのフランジ部８の内面に設けられ且つ４箇所の角部を有する周方向に連続された環状突起９と、を有している。
【００２７】
図４に示すように、容器本体２の底面部６は、４箇所の角部が直角をなす矩形の四角形ではなく、長辺部６ａ及び短辺部６ｂのいずれにおいても、中央部が外側に突出した円弧状に形成されていて、その長辺部６ａの端部と短辺部６ｂの端部とが交わる４箇所の角部には適当な曲率半径を有する円弧状に形成された曲面部６ｃが設けられている。この曲面部６ｃの曲率半径に比べて長辺部６ａ及び短辺部６ｂの曲率半径は極めて大きなものとなっている。なお、底面部６の形状としては、この実施例で示す四角形に限定されるものではなく、３箇所以上１８箇所以下の角部を有する多角形、即ち、三角形、五角形、六角形、七角形、八角形、九角形、十角形、十一角形、十二角形、十三角形、十四角形、十五角形、十六角形、十七角形及び十八角形の多角形を適用することができる。
【００２８】
図１等に示すように、容器本体２の側面部７は、底面部６の周囲に連続すると共にその底面部６を囲うように形成され且つ４箇所の角部を有する４つの側面、即ち、前側面片７ａと後側面片７ｂと左側面片７ｃと右側面片７ｄとを有している。そして、隣り合う側面片の間は、底面片６の曲面部６ｃと略同様の大きさからなる曲率半径を有する曲面片７ｅとして形成されている。
【００２９】
図１及び図４に示すように、容器本体２のフランジ部８は、側面部７の上端に連続して形成され且つ４箇所の角部を有する無端状に連続された環状の枠体として形成されている。このフランジ部８は、図５等に示すように、側面部７の上端に連続して水平方向外側に突出された水平片１１ａと、この水平片１１ａの先端に連続して形成されると共に縦断面形状がコの字形をなすコ字状片１１ｂとからなっている。フランジ部８のコ字状片１１ｂは、その開口側を下方に向けた状態とされており、水平方向の外側に配置された外フランジ片１２と、この外フランジ片１２と同心状に配置された内フランジ片１３とを有している。そして、内フランジ片１３の内面に環状突起９が一体に設けられている。これら外フランジ片１２及び内フランジ片１３における長辺部１２ａ，１３ａ、短辺部１２ｂ，１３ｂ及び曲面部１２ｃ，１３ｃの曲率半径の大小関係については、後に詳細に説明する。
【００３０】
図６Ａ等に示すように、環状突起９は、内フランジ片１３の内面において、収納凹部４側に突出する断面形状が略三角形をなす凸部からなり、この凸部を周方向に連続させることにより環状をなす無端状の突条として形成されている。従って、環状突起９にも４箇所に角部が設定されている。このフランジ部８の水平片１１ａの４箇所の角部に、蓋体３の後述する内側面片２６を案内（ガイド）して環状突起９に接触又は圧接させるガイド突起２１が設けられている。このガイド突起２１については、後に詳細に説明する。
【００３１】
図６Ｂには、環状突起の他の実施例を示す。この図６Ｂに示す実施例は、蓋体３に設けた内側面片２６の外面に断面形状が半円形をなす環状突起９Ａを設けたものである。この環状突起９Ａは、収納凹部４と反対側に突出する断面形状が略半円形をなす凸部を周方向に連続させて無端状の突条として形成している。従って、環状突起９Ａにも４箇所に角部が設定されている。
【００３２】
図１及び図４に示すように、フランジ部８の長辺部の背面側に、蓋体３を回動自在に支持するためのヒンジ１４の一方を構成する一対の軸受部１５，１５が設けられている。一対の軸受部１５，１５は、長辺部の長手方向に所定の隙間をあけて配置されており、各軸受部１５，１５には、互いに対向する面に開口する軸受穴がそれぞれ設けられている。
【００３３】
図１等に示すように、蓋体３は、容器本体２の収納凹部４の上面を覆うことができる４箇所の角部を有する上面部１７と、その上面部１７の周囲に連続すると共に下方に突出してフランジ部８に対向されると共に４箇所の角部を有する側面部１８と、を有している。蓋体３の上面部１７は、容器本体２の底面部６と同様の形状を有しており、この実施例では、底面部６と同様の略四角形として形成されている。
【００３４】
即ち、蓋体３の上面部１７は、図３に示すように、容器本体２の底面部６と同様に、４箇所の角部が直角をなす矩形の四角形ではなく、長辺部及び短辺部のいずれにおいても、中央部が外側に突出した円弧状に形成されており、その長辺部と短辺部とが交わる４箇所の角部においては、適当な曲率半径を有する円弧状に形成された曲面部が設けられている。この曲面部の曲率半径に比べて長辺部及び短辺部の曲率半径は極めて大きなものとなっている。この上面部１７の形状は、必然的に底面部６の形状に対応した形状とされており、底面部６が三角形の場合には上面部１７の形状も三角形とされ、底面部６が十八角形の場合には上面部１７の形状も十八角形とされる。このように、蓋体３の上面部１７の形状についても、この実施例で示す四角形に限定されるものではなく、３箇所以上１８箇所以下の角部を有する多角形、即ち、三角形、五角形、六角形、七角形、八角形、九角形、十角形、十一角形、十二角形、十三角形、十四角形、十五角形、十六角形、十七角形及び十八角形の多角形を適用することができる。
【００３５】
蓋体３の側面部１８は、４箇所の角部が直角をなしておらず共に中央部が外側に突出した円弧状の曲面部となっており、水平方向の外側に配置された外側面片２５と、この外側面片２５の内側に所定の間隔をあけて同心状に配置された内側面片２６とを有している。内側面片２６の上下方向の長さ（深さ）は、外側面片２５の略２倍の長さに設定されており、容器本体２に蓋体３を装着した状態において、外側面片２５はフランジ部８の外フランジ片１２の上方に対向されて同一平面をなす一方、内側面片２６はフランジ部８の内フランジ片１３の内側に対向される。
【００３６】
図１及び図３に示すように、側面部１８の背面側の長辺部に、蓋体３を容器本体２に回動自在に連結するためのヒンジ１４の他方を構成する軸部１９が設けられている。軸部１９は、容器本体２のフランジ部８に設けた一対の軸受部１５，１５間に装着されるもので、その軸方向の両端には、それぞれ軸方向の外側に突出する枢軸１９ａ，１９ａが設けられている。これら一対の枢軸１９ａ，１９ａを一対の軸受部１５，１５の軸受穴に回動可能に嵌合させることによってヒンジ１４が構成され、このヒンジ１４を介して容器本体２と蓋体３とが回動自在に連結されている。
【００３７】
また、図１及び図４〜図８に示すように、容器本体２のフランジ部８の４箇所の角部には、上方に突出するガイド突起２１がそれぞれ設けられている。ガイド突起２１は、蓋体３の内側面片２６をコ字状片１１ｂ側にガイドすると共に、内側面片２６の下部を環状突起９に接触又は圧接させるこものである。これにより、収納容器１の収納凹部４内部の気密性を高めて収納された清掃シートやウエットティッシュ等の収納物品に含まれている洗浄剤等の乾燥を防止し又は抑制することができる。このガイド突起２１は、容器本体２の４箇所の角部において、その曲率半径に対応した大きさを有する円の略１／４の長さを有する円弧状の凸部として形成されている。
【００３８】
このガイド突起２１の機能を確保するため、図７Ａ，図７Ｂに示すように、ガイド突起２１の縦方向の断面形状を略三角形に形成しており、そのガイド突起２１の内側面片２６と対向する傾斜面にガイド面２１ａが設定されている。このガイド面２１ａの傾斜角度（収納容器１の載置面と垂直をなす垂直線とのなす角度）θは２０度に設定されている。この傾斜角度θは、この実施例に限定されるものではなく、３度から４５度の範囲内で設定できるが、好ましい範囲は１０度から３０度の範囲である。傾斜角度θが３度から４５度の範囲内であれば、内側面片２６をスムースに移動させることができ、更に、１０度から３０度の範囲内に設定することにより、内側面片２６をより一層スムースに移動させることができる。これにより、内側面片２６を環状突起９に確実に接触又は当接させて高い気密性を確保できると共に、容器本体２からの蓋体３の開放操作をスムースに行うことができる、という利点がある。
【００３９】
図７Ｂに示すように、フランジ部８の内フランジ片１３の表面から収納凹部４側へ突出する環状突起９の突出量Ｈは、この実施例では０．２５ｍｍに設定している。この環状突起９の突出量Ｈは、この実施例に限定されるものではなく、０．０５ｍｍから２．０ｍｍの範囲内の寸法に設定することが好ましい。突出量Ｈが０．０５ｍｍから２．０ｍｍの範囲内であれば、内側面片２６が接触又は当接することにより環状突起９との間の気密性を確保するという機能を達成しつつ、射出成形による製造時において金型からの離型を確実に行うことができる、という利点がある。
【００４０】
また、図７Ｂに示すように、容器本体２に蓋体３を嵌合させる前の状態における容器本体２の環状突起９と蓋体３の内側面片２６との間の隙間Ｋは、この実施例では０．２ｍｍに設定している。この隙間Ｋは、この実施例に限定されるものではなく、０．１ｍｍから０．５ｍｍの範囲内の寸法に設定することが好ましい。隙間Ｋが０．１ｍｍから０．５ｍｍの範囲内であれば、容器本体２の収納凹部４に対する蓋体３の開閉操作をスムース且つ確実に行うことができる、という利点がある。
【００４１】
更に、図８に示すように、蓋体３で容器本体２の開口部を閉じたときに、ガイド突起２１で内側面片２６を案内（ガイド）して環状突起９に内側面片２６を接触又は圧接させるために内側面片２６を弾性変形させる変形量Ｍは、この実施例では０．０５ｍｍに設定している。この変形量Ｍは、この実施例に限定されるものではなく、０．０１ｍｍから０．３ｍｍの範囲内の寸法に設定することが好ましい。内側面片２６の変形量Ｍが０．０１ｍｍから０．３ｍｍの範囲内であれば、収納容器１の気密性を確保しつつ、容器本体２の収納凹部４に対する蓋体３の開閉操作をスムース且つ確実に行うことができる、という利点がある。
【００４２】
このような構成を有する容器本体２及び蓋体３の材質としては、例えば、ＰＰ（ポリプロピレン）、ＰＥ（ポリエチレン）等の熱可塑性樹脂が好適である。しかしながら、容器本体２及び蓋体３の材質は、これらＰＰ，ＰＥに限定されるものではなく、これら容器本体２及び蓋体３を射出成形によって製作可能な各種の熱可塑性樹脂を用いて形成することができる。
【００４３】
前述したような構成を有する容器本体２と蓋体３とからなる収納容器１は、例えば、洗浄剤を含浸した清掃シートが収納凹部４に収納される気密性の高い収納容器１として、次のようにして使用することができる。
【００４４】
容器本体２の収納凹部４に所定形状の図示しない清掃シートを収納した後、その収納凹部４の上方に対向した蓋体３を、ヒンジ１４を回動中心として容器本体２側に回動し、蓋体３に設けた内側面片２６を容器本体２のフランジ部８に嵌め合わせる。図６Ａは、内側面片２６をフランジ部８の内フランジ片１３に近づけ、その内側面片２６がガイド突起２１に接触する直前の状態を示すもので、このときの内側面片２６と内フランジ片１３の内面に設けた環状突起９との間の隙間Ｋは０．２５ｍｍ程度である。
【００４５】
この状態から、蓋体３を容器本体２側に近づけると、フランジ部８の水平片１１ａに設けたガイド突起２１のガイド面２１ａに内側面片２６の先端が当接する。更に、蓋体３を容器本体２側に押し付けると、図７Ａ及び図７Ｂに示すように、ガイド突起２１の抵抗によりガイド面２１ａにガイドされて弾性を有する内側面片２６が内フランジ片１３側に弾性変形される。このとき、ガイド突起２１のガイド面２１ａの傾斜角度θは、容器本体２の載置面から垂直に立てた垂直線と２０度をなす角度に設定されているため、ガイド突起２１のガイド面２１ａによって内側面片２６を容易に弾性変形させつつ移動させることができる。
【００４６】
更に、蓋体３を所定位置まで押し込むと、内側面片２６の外面が環状突起９に圧接され、これにより、容器本体２と蓋体３との間の気密性を確保することが可能となる。即ち、容器本体２に設けたガイド突起２１は、収納凹部４の開口部を囲う４箇所の角部のみであるが、その４箇所の環状突起２１が、図９に示すように、内側面片２６を押圧してその４箇所の曲面部２６ｃを内フランジ片１３の４箇所の曲面部１３ｃに押し付ける。その結果、内側面片２６が有する塑性力により、内側面片２６の長辺部２６ａが内フランジ部１３の長辺部１３ａに圧接され、内側面片２６の短辺部２６ｂが内フランジ部１３の短辺部１３ｂに圧接される。これにより、環状突起２１の全体に内側面片２６を圧接又は接触させることができ、収納凹部４内の気密性を高めて高度な気密状態を確保することができる。
【００４７】
ここで、図９において、符号１２ａは、外フランジ片１２の長辺部であり、この長辺部１２ａの曲率半径はＲＢである。符号１２ｂは、外フランジ片１２の短辺部であり、この短辺部１２ｂの曲率半径はＲＣである。符号１２ｃは、外フランジ片１２の４箇所の角部に設けた曲面部であり、この曲面部１２ｃの曲率半径はＲＡである。また、符号１３ａは、内フランジ片１３の長辺部であり、この長辺部１３ａの曲率半径はＲＥである。符号１３ｂは、内フランジ片１３の短辺部であり、この短辺部１３ｂの曲率半径はＲＦである。更に、符号１３ｃは、内フランジ片１３の４箇所の角部に設けた曲面部であり、この曲面部１３ｃの曲率半径はＲＤである。
【００４８】
なお、符号ＲＧは、環状突起２１の外周面の曲率半径である。また、符号ＳＴは、曲面部１２ｃ，１３ｃの曲率半径ＲＡ，ＲＤと長辺部１２ａ，１３ａの曲率半径ＲＢ，ＲＥ及び短辺部１２ｂ，１３ｂの曲率半径ＲＣ，ＲＦとが大きく異なるために、それらが連続する部分に形成された変局点を示す。
【００４９】
この実施例に係る収納容器１と先行技術に係る収納容器（非公知）１００の気密性を試験したことについて、図１２Ａ，図１２Ｂを参照して説明する。
（１）試験の目的は、容器本体の４箇所の角部（コーナー）に設けたガイド突起２１が、本願発明の収納容器１及び先行技術に係る収納容器１００の気密性の向上に繋がっているか否かを検証する。
（２）測定方法は、各収納容器に、その収納容量（ｍｌ）の１／１０に相当する量（ｍｌ）のエタノールを入れて容器全体の重量（ｇ）を測定し、時間の経過によるエタノールの減少量を重量で測定する。測定回数は、充填後２４時間経過後と、４８時間経過後と、７２時間経過後の３回行った。
【００５０】
図１２Ａは、本願発明に係る収納容器１と先行技術に係る収納容器（非公知）１００の気密性を試験した結果を棒グラフで表したものであり、図１２Ｂはその結果を数値で表したものである。
【００５１】
容器本体の４箇所の角部にガイド突起２１を設けていない図１０に示す先行技術に係る収納容器１００においては、２４時間後のエタノール減少量Ｑ24（％）は０．９９％、４8時間後のエタノール減少量Ｑ48（％）は１．７０％、そして、７２時間後のエタノール減少量Ｑ72（％）は２．２９％であった。これに対して、４箇所の角部にガイド突起２１を設けた図５等に示す本願発明に係る収納容器１においては、２４時間後のエタノール減少量Ｐ24（％）は０．６７％、４8時間後のエタノール減少量Ｐ48（％）は１．０７％、そして、７２時間後のエタノール減少量Ｐ72（％）は１．３６％であった。
【００５２】
先行技術に係る収納容器１００の気密性が本願発明の収納容器１の気密性よりも劣る結果となった理由は、収納容器１００の４箇所にガイド突起が無いため、図１１に示したような隙間１１７，１１８，１１９からエタノールが漏れ出してしまうことが原因であると考えられる。これに対して、本願発明に係る収納容器１によれば、容器本体２に設けた４箇所の角部にガイド突起２１をそれぞれ設ける構造としたため環状突起９の略全周に亘って内側面片２６を環状突起９に圧接又は接触させることが可能となった。
【００５３】
即ち、ガイド突起２１が内側面片２６の曲面部２６ｃを内フランジ片１３の曲面部１３ｃに押し付けるため、図１１に示したような三日月形の隙間１１７を解消することができ、その隙間１１７からの気体漏れを確実に防ぐことができる。また、曲面部２６ｃの両側がガイド突起２１で押圧されることは無いが、内側面片２６が有する塑性力に基づいて、曲面部２６ｃを押圧するガイド突起２１の押圧力により、内側面片２６の長辺部２６ａが内フランジ部１３の長辺部１３ａに押し付けられ、内側面片２６の短辺部２６ｂが内フランジ部１３の短辺部１３ｂに押し付けられる。これにより、図１１に示した隙間１１８及び隙間１１９も解消され、これらの隙間１１８、隙間１１９からの気体漏れを防ぐことが可能となった。その結果、図１２Ａ，１２Ｂに示したように、時間の経過に対するエタノールの減少量を少なくし、長時間に亘って高い気密性を保持できることが確認された。
【００５４】
一方、蓋体３を開放する場合、容器本体２と蓋体３とが接触する部分は、環状突起９とその環状突起９の略全周に亘って接触する内側面片２６の線状をなす接触部分のみであるため、これらによる摩擦抵抗はあまり大きなものではない。そのため、環状突起９とガイド突起２１とで挟まれている内側面片２６を、それらの摩擦抵抗に抗して比較的小さな力でスムースに引き抜くことができる。即ち、本願発明に係る収納容器１によれば、比較的小さな力でスムースに蓋体の開閉操作を行うことができると共に、蓋体３を閉じた状態において収納容器１の高度な気密性を確保できることが可能となった。
【００５５】
なお、ガイド突起２１は、容器本体２の角部とは別に、水平部１１ａの長辺部及び／又は短辺部の中間部に１又は２のガイド突起を併用して設ける構造としてもよい。かかる場合には、長辺部及び／又は短辺部の中間部で内側面片２６を環状突起９に接触又は圧接させることができるため、前記気密性を更に高めることが可能となる。一方、ガイド突起２１を容器本体の全周に亘って連続させて設ける構造とすることもできるが、これはあまり好ましいものではない。その理由は、容器本体の全周に亘って連続するガイド突起を設けると、そのガイド突起によって樋状の溝が形成されることになり、その溝にホコリが溜ると、そのホコリを取り除くことが難しくなるという弊害が生ずるためである。これに対して、４箇所の角部に環状突起を設けた場合には、周方向に連続する環状溝が形成されることがないため、ホコリが貯まることが無く、水平部１１ａのホコリ等を容易に清掃することができ、衛生的であるという利点がある。
【００５６】
図１３及び図１４は、本願発明の第２の実施例を示すものである。この実施例で示す収納容器は、容器本体３２と蓋体３３とによって構成されており、容器本体３２と蓋体３３は、図示しないヒンジによって回動自在に連結されている。これらの容器本体３２及び蓋体３３が第１の実施例に係る容器本体２及び蓋体３と異なる点は、容器本体３２の底面部３６及び蓋体３３の上面部４７を、４箇所に角部を有する長方形とし、その長辺部及び短辺部を共に直線状に形成した点である。
【００５７】
容器本体３２は、４箇所の角部を有する平面形状が四角形をなす底面部３６と、その底面部３６の四辺に連続すると共に、その底面部３６を囲うように形成され且つ４箇所の角部を有する側面部３７と、その側面部３７の上端に連続して形成され且つ４箇所の角部を有する環状をなすフランジ部３８と、そのフランジ部３８の内面に設けられ且つ４箇所の角部を有する周方向に連続する環状突起（図示しない）と、を有している。
【００５８】
容器本体３２の底面部３６は長辺部３６ａと短辺部３６ｂを有しており、これら長辺部３６ａ及び短辺部３６ｂはそれぞれ直線状に形成されている。そして、長辺部３６ａの端部と短辺部３６ｂの端部とが交わる部分は適当な曲率半径を有する曲面部３６ｃによって形成されている。この底面部３６の周縁に、同じく４箇所に角部を有する側面部３７が連続されて上方へ立ち上がるように形成されている。そして、側面部３７の上端部に、４箇所に角部を有するフランジ部３８が形成されている。
【００５９】
フランジ部３８は、側面部３７の上端に連続して水平方向外側に展開された水平片４１ａと、この水平片４１ａの外縁に連続して一体に設けられたコ字状片４１ｂとによって形成されている。コ字状片４１ｂは、図示しないが、開口側を下方に向けた状態とされており、水平方向の外側に配置された外フランジ片と、この外フランジ片と同心状に配置された内フランジ片とを有している。そして、内フランジ片の内面に環状突起が一体に設けられている。
【００６０】
このフランジ部３８の水平片４１ａの４箇所の角部の上面に、上方に突出したガイド突起６１が設けられている。ガイド突起６１は、平面形状が１／４の円弧形状に形成されており、その断面形状及びガイド面等の形状及び構造は、前述した第１実施例のガイド突起２１と同様であるため、その詳細な説明は省略する。
【００６１】
蓋体３３は、容器本体３２の収納凹部３４の上面を覆うことができる４箇所の角部を有する上面部４７と、その上面部４７の周囲に連続すると共に下方に突出してフランジ部３８に対向されると共に４箇所の角部を有する側面部４８と、を有している。蓋体３３の上面部４７は、容器本体３２の底面部３６と同様の形状を有しており、この実施例では、底面部３６と同様の四角形として形成されている。
【００６２】
蓋体３３の上面部４７の長辺部及び短辺部はそれぞれ直線状に形成されている。そして、長辺部の端部と短辺部の端部とが交わる部分は適当な曲率半径を有する曲線部によって形成されている。更に、蓋体３３の上面部４７は、容器本体３２の底面部３６と同様に、４箇所の角部が直角をなす矩形の四角形とされており、その長辺部と短辺部とが交わる４箇所の角部には適当な曲率半径を有する円弧状に形成された曲線部が設けられている。
【００６３】
上面部４７の形状は、必然的に底面部３６の形状に対応した形状に形成されており、底面部３６が三角形の場合には上面部４７の形状も三角形とされ、底面部３６が十八角形の場合には上面部４７の形状も十八角形とされる。このように、蓋体３３の上面部４７の形状についても、この実施例で示す四角形に限定されるものではなく、３箇所以上１８箇所以下の角部を有する多角形、即ち、三角形、五角形、六角形、七角形、八角形、九角形、十角形、十一角形、十二角形、十三角形、十四角形、十五角形、十六角形、十七角形及び十八角形の多角形を適用することができる。
【００６４】
蓋体３３の側面部４８は、上面部４７の周縁に連続すると共に、同じく４箇所に角部を有し且つ下方へ立ち下がるように形成されている。この側面部４８は、水平方向の外側に配置された外側面片５１と、この外側面片５１の内側に所定の間隔をあけて同心状に配置された内側面片５２とからなっている。内側面片５２は、外側面片５１の略２倍の長さに設定されており、容器本体３２に蓋体３３を装着した状態において、外側面片５１はフランジ部３８の外フランジ片の上方に対向されて同一平面をなす一方、内側面片５２はフランジ部３８の内フランジ片の内側に対向されるようになっている。
【００６５】
容器本体３２及び蓋体３３のその他の構成、作用及び効果は、前記第１の実施例と同様であるため、それらの記載は省略する。このような構成を有する収納容器によっても前記実施例と同様に、容器本体３２に対する蓋体３３の開閉操作を比較的小さな力でスムースに行うことができると共に、蓋体３３を閉じた状態において収納容器の高度な気密性を確保することが可能になった。
【００６６】
以上説明したが、本発明は上記２つの実施例に限定されるものではなく、均等の範囲内で種々の変形が可能であり、特許請求の範囲に記載された発明の範囲において様々な変更が可能であることは、当業者によって容易に理解されよう。
【符号の説明】
【００６７】
１…収納容器、  ２，３２…容器本体、  ３，３３…蓋体、  ４，３４…収納凹部、  ６，３６…底面部、  ７，３７…側面部、  ８，３８…フランジ部、  ９，９Ａ…環状突起、  １１ａ，４１ａ…水平片、  １１ｂ，４１ｂ…コ字状片、  １２…外フランジ片、  １３…内フランジ片、  １４…ヒンジ、  １７，４７…上面部、  １８，４８…側面部、  ２１，６１…ガイド突起、  ２１ａ…ガイド面、  ２６，５２…内側面片、  θ…傾斜角度、  Ｈ…環状突起の突出量、  Ｋ…環状突起と内側面片との間の隙間、  Ｍ…内側面片の変形量
【図１】
2015171906.tif 000003
【図２】
2015171906.tif 000004
【図３】
2015171906.tif 000005
【図４】
2015171906.tif 000006
【図５】
2015171906.tif 000007
【図６】
2015171906.tif 000008
【図７】
2015171906.tif 000009
【図８】
2015171906.tif 000010
【図９】
2015171906.tif 000011
【図１０】
2015171906.tif 000012
【図１１】
2015171906.tif 000013
【図１２】
2015171906.tif 000014
【図１３】
2015171906.tif 000015
【図１４】
2015171906.tif 000016